(57)【要約】      （修正有）【課題】プラグが挿入された時、コンセントユニット内の導電刃受けが弾性的に拡開して、対応する導電シートと接触するテーブルタップを提供する。【解決手段】上殻体１２と下殻体１３の間に基台１１が設けられ、該基台１１に複数のコンセントゾーン１１０が設けられ、コンセントユニット４０が該基台１１のコンセントゾーン１１内に各々設置される。各コンセントユニット４０は、下座体と第１の導電刃受け４１と第２の導電刃受け４２とを備える。プラグを該コンセントユニット４０内に挿入した時、該コンセントユニットの第１の導電刃受け４１が弾性的に拡開されて、該第１極の導電シート２０に接触し、該第２の導電刃受け４２が弾性的に拡開されて、該第２極の導電シート２０に接触することで、電力を該電気器具に供給する。【選択図】図１
0003178907.tif 000002
【実用新案登録請求の範囲】
【請求項１】
上殻体１２と下殻体１３とを備え、殻体１０内に第１極の導電シート２０と第２極の導電シート３０が設けられ、前記第１極の導電シート２０が殻体１０の中において跨いで設置されることで、電源コードＬの第１極の電源コードＬ１との接続に用いられ、前記第２極の導電シート３０が、殻体１０の中において跨いで設置されることで、前記電源コードＬの第２極の電源コードＬ２との接続に用いられる殻体１０と、複数のコンセントユニット４０とを含むテーブルタップであって、前記上殻体１２と前記下殻体１３の間に基台１１が設けられ、前記基台１１に複数のコンセントゾーン１１０が設けられると共に前記上殻体１２に複数のコンセント口１２０が設けられ、各々の投影が前記コンセントゾーン１１０に対応し、前記コンセントユニット４０が前記基台１１の前記コンセントゾーン１１０内に各々設置され、前記各コンセントユニット４０が、下座体４３と第１の導電刃受け４１と第２の導電刃受け４２とを含み、プラグが前記コンセントユニット４０内に挿入された時、前記コンセントユニット４０の前記第１の導電刃受け４１が弾性的に拡開されて前記第１極の導電シート２０に接触し、また、前記第２の導電刃受け４２が弾性的に拡開されて前記第２極の導電シート３０に接触することを特徴とするテーブルタップ。
【請求項２】
前記コンセントユニット４０と前記第２極の導電シート３０の間に、各々スイッチ５０が設置され、前記スイッチ５０は本体５１を備え、前記本体５１内に第１、第２の接点５２、５３が設けられ、また、操作部５４も備え、前記操作部５４が切替方式により前記第１、第２の接点５２、５３に接続し、前記操作部５４が上殻体１２の対応するスイッチ取付穴１２１から外側へ突出し、前記スイッチ５０の前記第１の接点５２を接触片と定義し、その自由端が前記本体５１から外側へ向かって延出し、且つ、前記コンセントユニット４０の前記第２の導電刃受け４２に近く、前記スイッチ５０の前記第２の接点５３を、前記第２極の導電シート３０の舌片と定義し、前記スイッチ５０の本体５１内に延入し、前記スイッチ５０が閉路位置に切り替えられた時、前記第１、第２の接点５２、５３が相互に導通することを特徴とする請求項１に記載のテーブルタップ。
【請求項３】
本体５１を備える主スイッチ５０Ａを含み、前記本体５１内に第１、第２の接点５２、５３が設けられ、また、操作部５４も備え、前記操作部５４が切替方式により前記第１、第２の接点５２、５３に接続し、前記操作部５４が前記上殻体１２の対応するスイッチ取付穴１２１から外側へ突出し、前記主スイッチ５０Ａの前記第１の接点５２が前記第２極の導電シート３０に接続され、前記第２の接点５３が電源コードＬの第２極の電源コードＬ２に接続され、前記主スイッチ５０Ａが閉路位置に切り替えられた時、前記第２極の導電シート３０と前記電源コードＬの第２極の電源コードＬ２を導通することを特徴とする請求項１に記載のテーブルタップ。
【請求項４】
前記スイッチ５０は、第３の接点５６を更に含み、前記第１、第３の接点５２、５６間を発光素子５７に接続され、且つ、前記第３の接点５６が前記第１極の導電シート２０に接続され、前記スイッチ５０が閉路位置に切り替えられると、前記第２極の導電シート３０と前記第１の接点５２を導通させることで、電力を供給して前記発光素子５７をトリガーすることを特徴とする請求項２または３に記載のテーブルタップ。
【請求項５】
前記コンセントユニット４０の前記下座体４３に前記第１の導電刃受け４１と前記第２の導電刃受け４２を取り付ける凹溝状の第１のハウジング４３１と第２のハウジング４３２が形成され、前記下座体４３の上方に邪魔板４４が設けられ、前記邪魔板４４の上部に上蓋４５が設けられ、前記第１のハウジング４３１と前記第２のハウジング４３２の底部に少なくとも１個の連結穴に挿設できる脚４３３が設けられ、前記各脚４３３に導流孔４３４が開設され、前記下殻体１３の底部に少なくとも１個の排水できるつるし穴１３１が設けられることを特徴とする請求項１に記載のテーブルタップ。
【請求項６】
前記下座体４３の導電接口に対向する一側に接地凹溝４３５が更に形成され、前記接地凹溝４３５の上に係合部４３６があり、前記係合部４３６が前記接地凹溝４３５の両側に対称設置され、前記係合部４３６に接地係合受部６１が挿設され、前記接地凹溝４３５の底部にも中央部に導流孔４３４を開設した前記脚４３３が設けられ、前記導流孔４３４と前記接地凹溝４３５が相互に連なり、前記上蓋４５の前記接地凹溝４３５に対応する位置に挿入口が設けられことを特徴とする請求項５に記載のテーブルタップ。
【請求項７】
前記導流孔４３４が対応する脚４３３の中央部に開設され、前記各導流孔４３３が対応する前記凹溝からなるハウジングと連なることを特徴とする請求項５または６に記載のテーブルタップ。
【請求項８】
前記基台１１の前記コンセントゾーン１１０に連結穴１１１が設けられ、前記各連結穴１１１の位置と前記コンセントユニット４０の前記脚４３３の位置が対応し、前記コンセントユニット４０の前記脚４３３が対応して前記連結穴内に挿設され、前記各脚４３３の前記導流孔が前記殻体１３まで貫通し、前記連結穴の個数と前記脚４３３の個数が一致することを特徴とする請求項５または６に記載のテーブルタップ。
【請求項９】
前記スイッチ５０に防水カバー５５が嵌設され、前記防水カバー５５の下縁に凸縁部５５１が設けられることを特徴とする請求項１〜３のいずれか一項に記載のテーブルタップ。
【請求項１０】
前記コンセント回路に過負荷保護器７０が設けられ、前記過負荷保護器７０が前記基台１１に取り付けられていることを特徴とする請求項１に記載のテーブルタップ。
【考案の詳細な説明】
【技術分野】
【０００１】
本考案は、電源タップ技術分野に関し、特に、導電シートとコンセントユニットを溶接する必要のない電源コンセントに関する。
【背景技術】
【０００２】
テーブルタップは、電源タップ、ケーブルタップとも呼ばれ、オフィス、工場、家庭等の常備用品となっている。多くの利用者は電気器具を使用する時、電気器具を置く場所と建物のコンセント設置箇所が一定の距離がある延長コードでこの問題を解決し、テーブルタップの使用が極めて普及している。
【０００３】
現在市場のテーブルタップには、複数のコンセントユニットが含まれる。各コンセントユニットには少なくとも第１の導電刃受けと第２の導電刃受けとを含み、且つ各コンセントユニットの第１の導電刃受け及び第２の導電刃受けは、導線溶接方式で電源コードと接続する。よって製造上、テーブルタップ内部に各コンセントユニットまで接続する導線がたくさん有ると、製造上の困難が生じるだけでなく、製造コストも増えていた。その他にも電源タップ内に各コンセントユニットに接続する導線が絡まっているめ、インダクタンスの効果により極過熱、短絡現象が生じて、安全上の懸念が極めて生じやすいという欠点があり、改善する必要があった。
【０００４】
その他、日常生活において、よく不注意によりテーブルタップが濡れて回路短絡等の現象が起きることでテーブルタップが焼損し、更には火災が起きて、人々の生命や財産の安全を脅かしてしまい、不注意による安全面の落とし穴が存在する。関連の製品において、現在大半のテーブルタップは防水機能がない、若しくは防水性能が悪いため、電気器具の使用の時、多くの安全面の落とし穴が覆い隠されている。
【考案の概要】
【考案が解決しようとする課題】
【０００５】
そこで、本考案は従来技術の問題点に鑑みて導電シートをコンセントユニットの一側の近くに設置し、プラグが挿入された時、コンセントユニット内の導電刃受けが弾性的に拡開して、対応する導電シートと接触するテーブルタップを提供することを目的とする。
【課題を解決するための手段】
【０００６】
上記目的を達成するため、本考案では以下の技術的思想を採用する。つまり本考案の有益効果は、本考案で開示するテーブルタップの金属片状の第１極、第２極の導電シートが、電源コードに接続すると共にコンセントユニットの一側に設置され、電気器具のプラグがコンセントユニット内に挿入された時、該コンセントユニットの第１の導電刃受けが弾性的に拡開されて該第１極の導電シート上に接触し、また該第２の導電刃受けが弾性的に拡開されて該第２極の導電シートに接触することで、電力を該電気器具に供給し、本考案の構造は、導線を各コンセントユニットに接続する必要がないため、テーブルタップの構造の簡素化、製造コストの削減、生産効率のアップ、人件費の節約が可能で、重要な意味を持つ。且つ栓刃がコンセントユニットに差し込んだ時、回路全体が開路状態になり、感電防止の一定の安全効果を持っている。またテーブルタップの導流孔設計に基台を組み合わせて、テーブルタップを不注意で濡らした時、リアルタイムでテーブルタップ内の液体を下殻体内に導流させ、遮水性能を働いてテーブルタップ内の液体を排出し、遮水或いは排水性能を保証する。電源スイッチ上のシリコンカバーとコンセントユニット内の邪魔板の設置は、こぼれた液体がテーブルタップ内の導電部に接触することを防止し、テーブルタップ内にある回路の短絡現象を大幅に減少し、製品の安全性能を向上できる。
【図面の簡単な説明】
【０００７】
【図１】本考案に係る第１の実施例の局部を示す立体分解図である。
【図２】本考案に係る第１の実施例の組立後の立体図である。
【図３】本考案に係る第１の実施例の構造を示す平面図である。
【図４】本考案に係る第２の実施例の構造を示す平面図である。
【図５】本考案に係る第３の実施例の局部を示す立体分解図である。
【図６】本考案に係る第３の実施例の組立後の立体図である。
【図７】本考案に係る第３の実施例の構造を示す平面図である。
【図８】本考案に係る第４の実施例の構造を示す平面図である。
【図９】本考案に係るコンセントユニットの立体図である。
【図１０】本考案に係る下座体の立体図である。
【考案を実施するための形態】
【０００８】
以下、本考案の目的、技術的特徴及び長所を更に明確に分かりやすくするため、実施例を添付図面に基づいて説明する。
【０００９】
図１乃至図８を参照しながら説明する。本考案で開示するテーブルタップの第１の実施例は、上殻体１２と下殻体１３とを備え、殻体１０内に第１極の導電シート２０と第２極の導電シート３０が設けられ、第１極の導電シート２０が該殻体１０の中において跨いで設置されることで、電源コードＬの第１極の電源コードＬ１との接続に用いられ、第２極の導電シート３０が、殻体１０の中において跨いで設置されることで、該電源コードＬの第２極の電源コードＬ２との接続に用いられる殻体１０と、複数のコンセントユニット４０とを含む。上殻体１２と下殻体１３の間に基台１１が設けられ、該基台１１に複数のコンセントゾーン１１０が設けられると共に該上殻体１２に複数のコンセント口１２０が設けられ、各々の投影がコンセントゾーン１１０に対応する。コンセントユニット４０が該基台１１のコンセントゾーン１１０内に各々設置され、各コンセントユニット４０が、下座体４３と第１の導電刃受け４１と第２の導電刃受け４２とを含み、プラグが該コンセントユニット４０内に挿入された時、該コンセントユニット４０の第１の導電刃受け４１が弾性的に拡開されて該第１極の導電シート２０に接触し、また該第２の導電刃受け４２が弾性的に拡開されて該第２極の導電シート３０に接触することで、電力を該電気器具に供給する。本考案の第１極の導電シート２０と第２極の導電シート３０が各コンセントユニット４０と溶接する必要がないため、製造コストを削減できる。
【００１０】
図１乃至図３を参照しながら説明する。本考案で開示するテーブルタップの第１の実施例の各コンセントユニット４０と第２極の導電シート３０の間に、各々スイッチ５０が設置される。該スイッチ５０は本体５１を備え、該本体５１内に第１、第２の接点５２、５３が設けられ、また操作部５４も備え、該操作部５４が切替方式により該第１、第２の接点５２、５３に接続する。該操作部５４が上殻体１２の対応するスイッチ取付穴１２１から外側へ突出し、上記の該スイッチ５０の第１の接点５２は、接触片と定義し、その自由端が該本体５１から外側へ向かって延出し、且つ該コンセントユニット４０の第２の導電刃受け４２に近い。該スイッチ５０の第２の接点５３が、該第２極の導電シート３０の舌片と定義し、該スイッチ５０の本体５１内に延入し、該スイッチ５０が閉路位置に切り替えられた時、該第１、第２の接点５２、５３が相互に導通する。この場合、電気器具のプラグをコンセントユニット４０内に挿入した時、該コンセントユニット４０の第１の導電刃受け４１が弾性的に拡開されて、該第１極の導電シート２０に接触し、また該第２の導電刃受け４２が弾性的に拡開されて、該第二接点５３に接触して該第２極の導電シート３０と導通することで、電力を差し込んで接続した電気器具に供給する。
【００１１】
図４、図８を参照しながら説明する。本考案で開示するテーブルタップの第２の実施例２と第４の実施例は、本体５１を備える主スイッチ５０Ａを含む。該本体５１内に第１、第２の接点５２、５３が設けられ、また操作部５４も備え、該操作部５４が切替方式により該第１、第２の接点５２、５３に接続する。該操作部５４が上殻体１２の対応するスイッチ取付穴１２１から外側へ突出し、該主スイッチ５０Ａの第１の接点５２が該第２極の導電シート３０に接続され、第２の接点５３が電源コードＬの第２極の電源コードＬ２に接続される。該主スイッチ５０Ａが閉路位置に切り替えられた時、該第２極の導電シート３０と電源コードＬの第２極の電源コードＬ２を導通する。該スイッチ５０が閉路位置に切り替えられた時、該第１、第２の接点５２、５３が相互に導通し、電気器具のプラグをコンセントユニット４０内に挿入した場合、該コンセントユニット４０の第１の導電刃受け４１が弾性的に拡開されて、該第１極の導電シート２０に接触し、該第２の導電刃受け４２が弾性的に拡開されて、第２極の導電シート３０に接触して導通し、電力を差し込んで接続した電気器具に供給する。
【００１２】
図３、図４、図７及び図８を参照しながら説明する。本考案で開示されるテーブルタップの該スイッチ５０は、第３の接点５６を更に含み、該第１、第３の接点５２、５６間を発光素子５７に接続され、且つ該第３の接点５６を該第１極の導電シート２０に接続させ、該スイッチ５０或いは５０Ａが閉路位置に切り替えられると、該第２極の導電シート３０と第１の接点５２を導通させることで、電力を供給して該発光素子をトリガーする。
【００１３】
図１に示すように前記スイッチ５０に防水カバー５５が嵌設され、防水カバー５５の下縁に凸縁部５５１が設けられることで、水がスイッチ取付穴１２１からテーブルタップ内に流入することを防止し、防水カバーは一般的にシリコンカバーを使用する。
【００１４】
図３、図５と図７に示されるように、前記テーブルタップのコンセント回路に過負荷保護器７０が設けられ、該過負荷保護器７０が基台１１に取り付けられている。
【００１５】
図１に示すように、前記基台１１のコンセントゾーン１１０に連結穴１１１が設けられ、各連結穴１１１の位置とコンセントユニット４０の脚４３３の位置が対応し、前記コンセントユニット４０の脚４３３が対応して連結穴内に挿設され、各脚４３３の導流孔が殻体１３まで貫通し、該連結穴の個数と脚４３３の個数が一致する。
【００１６】
図９と図１０に示されるように、前記コンセントユニット４０の下座体４３に第１の導電刃受け４１と第２の導電刃受け４２を取り付ける凹溝状の第１のハウジング４３１と第２のハウジング４３２が形成される。下座体４３の上方に邪魔板４４が設けられ、該邪魔板４４の上部に上蓋４５が設けられ、第１のハウジング４３１と第２のハウジング４３２の底部に少なくとも１個の連結穴に挿設できる脚４３３が設けられ、各脚４３３に導流孔４３４が開設される。前記下殻体１３の底部に少なくとも１個の排水できるつるし穴１３１が設けられる。下座体４３の導電接口に対向する一側に接地凹溝４３５が更に形成され、該接地凹溝４３５の上に係合部４３６があり、該係合部４３６が接地凹溝４３５の両側に対称設置され、該係合部４３６に接地係合受部６１が挿設される。コンセントユニット４０の基台１１のコンセントゾーン１１０に連結穴１１１が設けられ、各連結穴１１１の位置とコンセントユニット４０の脚４３３の位置が対応し、前記コンセントユニット４０の脚４３３が対応して連結穴１１１内に挿設され、各脚４３３の導流孔４３４が下殻体１３まで貫通し、該連結穴１１１の個数と脚４３３の個数が一致する。図５と図７に示すように、該テーブルタップは更に接地導電シート６０が設けられ、接地導電シート６０が導線Ｌの接地線Ｌ３に接続し、該接地導電シート６０が接地凹溝４３５の接地係合受部６１と接触し、該接地凹溝４３５の底部にも中央部に導流孔４３４を開設した脚４３３が設けられ、該導流孔４３４と接地凹溝４３５が相互に連なり、前記上蓋４５の接地凹溝４３５に対応する位置に挿入口が設けられる。導流孔４３４が対応する脚４３３の中央部に開設され、各導流孔４３３が対応する凹溝からなるハウジングと連なる。
【００１７】
本考案の殻体１０の下殻体１３につるし穴１３１が設けられ、コンセントユニット４０に水が流れ込んだ時、コンセントユニット４０が分離ハウジング構造となっているため、第１の導電刃受け４１及び第２の導電刃受け４２の短絡に至ることなく、水が急速に導流孔から排出され、テーブルタップが不注意で濡れた時、直ちにテーブルタップ内の水を下殻体１３内に導流させて、つるし穴１３１からテーブルタップ内の液体を排出し、遮水・排水性能を保証できる。その電源スイッチ５０上の防水カバー５５とコンセントユニット５０内の邪魔板４４の設置は、こぼれた液体がテーブルタップ内の導電部に接触することを防止し、テーブルタップ内の回路に発生する短絡現象を大幅に減少し、製品の安全性能を向上することができる。
【図１】
0003178907.tif 000003
【図２】
0003178907.tif 000004
【図３】
0003178907.tif 000005
【図４】
0003178907.tif 000006
【図５】
0003178907.tif 000007
【図６】
0003178907.tif 000008
【図７】
0003178907.tif 000009
【図８】
0003178907.tif 000010
【図９】
0003178907.tif 000011
【図１０】
0003178907.tif 000012